(57)【要約】【課題】電子看板で再生すべきメディアファイルに不具合が発生した場合でも、再生時に映像が表示されなくなる領域を画面から消す。【解決手段】再生指示部１５６は、ディスプレイの画面内での各メディアファイルの表示位置が定義されたレイアウトにしたがって構成された複数のウインドウ内に、所定の記憶装置から取り出されたメディアファイルを再生させる。エラー検知部１５８は、再生対象のメディアファイルが再生不可となるエラーを検知する。レイアウト修正部１６２は、エラー検知部によってエラーが検知されたメディアファイルが再生されるウインドウを画面から消去するように、レイアウトを変更する。【選択図】図１
2012182675.tif 000002
【特許請求の範囲】
【請求項１】
所定の記憶装置に記憶されている複数のメディアファイルを再生して表示画面に画像として表示する際の表示位置が定義されたレイアウトにしたがって構成された複数のウインドウ内に、前記複数のメディアファイルをそれぞれ表示させる再生指示部と、
再生対象のメディアファイルが再生不可となるエラーを検知するエラー検知部と、
前記エラー検知部によってエラーが検知されたメディアファイルが表示されるウインドウを画面から消去するように前記レイアウトを変更するレイアウト修正部と、
を備えることを特徴とする表示制御装置。
【請求項２】
前記レイアウト修正部は、予め準備されている他のレイアウトの中から、現在のレイアウトにおける正常なメディアファイルが表示されるウインドウの組み合わせと類似しているレイアウトを選択して、現在のレイアウトの代わりに使用することを特徴とする請求項１に記載の表示制御装置。
【請求項３】
前記レイアウト修正部は、正常なメディアファイルが表示されるウインドウのいずれかを、エラーの検知されたメディアファイルが表示されるウインドウが占める領域をカバーするように拡大したレイアウトに変更することを特徴とする請求項１に記載の表示制御装置。
【請求項４】
前記再生指示部は、メディアファイルの再生時間に関する情報が定義された再生プログラムにしたがって、各ウインドウ内におけるメディアファイルの再生を制御し、
エラーの検知されたメディアファイルが再生される予定であった再生時間を、同一のウインドウ内で再生される他のメディアファイルの再生時間に分配するように前記再生プログラムを修正するプログラム修正部をさらに備えることを特徴とする請求項１ないし３のいずれかに記載の表示制御装置。
【請求項５】
所定の記憶装置に記憶されている複数のメディアファイルを再生して表示画面に画像として表示する際のメディアファイルの再生時間に関する情報が定義された再生プログラムにしたがって、前記複数のメディアファイルを前記表示画面に表示させる再生指示部と、
再生対象のメディアファイルが再生不可となるエラーを検知するエラー検知部と、
前記エラー検知部によってエラーが検知されたメディアファイルが再生される予定であった再生時間を、同一のウインドウ内で再生される他のメディアファイルの再生時間に分配するように前記再生プログラムを修正するプログラム修正部と、
を備えることを特徴とする表示制御装置。
【請求項６】
前記プログラム修正部は、他のウインドウにおけるメディアファイルの再生時間に対応させて前記再生時間を配分することを特徴とする請求項５に記載の表示制御装置。
【請求項７】
表示制御装置が、所定の記憶装置に記憶されている複数のメディアファイルを再生して表示画面に画像として表示する際の表示位置が定義されたレイアウトにしたがって構成された複数のウインドウ内に、前記複数のメディアファイルをそれぞれ表示させ、
表示制御装置が、再生対象のメディアファイルが再生不可となるエラーを検知し、
表示制御装置が、エラーが検知されたメディアファイルが表示されるウインドウを画面から消去するように前記レイアウトを変更することを含む、ディスプレイの表示制御方法。
【請求項８】
表示制御装置が、所定の記憶装置に記憶されている複数のメディアファイルを再生して表示画面に画像として表示する際のメディアファイルの再生時間に関する情報が定義された再生プログラムにしたがって、前記複数のメディアファイルを前記表示画面に表示させ、
表示制御装置が、再生対象のメディアファイルが再生不可となるエラーを検知し、
表示制御装置が、エラーが検知されたメディアファイルが再生される予定であった再生時間を、同一のウインドウ内で再生される他のメディアファイルの再生時間に分配するように前記再生プログラムを修正することを含む、ディスプレイの表示制御方法。
【発明の詳細な説明】
【技術分野】
【０００１】
本発明は、広告などを再生する電子看板等の表示制御技術に関する。
【背景技術】
【０００２】
複数の動画、静止画、音声等を組み合わせて再生する電子看板が広く普及している。このような電子看板は、店舗、駅や空港などの公共空間、電車内などに設置され、公共案内や広告などの目的に利用されている。電子看板には、複数のディスプレイを組み合わせてネットワークで制御される大規模のものから、机上に設置される小規模のものまで様々なシステムが存在する。
【０００３】
特許文献１には、複数のマルチメディアファイルを記憶装置に記憶しておき、各マルチメディアファイルの再生時間帯、表示位置および表示サイズを定義した再生スクリプトを作成し、この再生スクリプトにしたがって各種ファイルを表示する電子看板の制御方法が開示されている。
【先行技術文献】
【特許文献】
【０００４】
【特許文献１】特開２００９−１７１５４６号公報
【発明の概要】
【発明が解決しようとする課題】
【０００５】
しかしながら、特許文献１のように再生スクリプトを利用して表示する方法では、マルチメディアファイルの破損などの理由により、電子看板の表示領域の少なくとも一部に何の映像も表示されなかったり、エラーメッセージが表示されたりといった不具合が発生する場合がある。電子看板は管理者から遠隔地に設置されることが多く、不具合の発見および修正に時間がかかることが多いので、修正までの間美観が損なわれるという問題がある。
【０００６】
本発明はこうした状況に鑑みてなされたものであり、その目的は、電子看板等のディスプレイにおいて、再生すべきメディアファイルに不具合が発生した場合でも、映像が表示されなくなる領域を画面からなくして美観が損なわれないようにする技術を提供することにある。
【課題を解決するための手段】
【０００７】
本発明の一態様は、所定の記憶装置に記憶されている複数のメディアファイルを再生して表示画面に画像として表示する際の表示位置が定義されたレイアウトにしたがって構成された複数のウインドウ内に、複数のメディアファイルをそれぞれ表示させる再生指示部と、再生対象のメディアファイルが再生不可となるエラーを検知するエラー検知部と、エラー検知部によってエラーが検知されたメディアファイルが表示されるウインドウを画面から消去するようにレイアウトを変更するレイアウト修正部と、を備える表示制御装置である。
【０００８】
この態様によると、エラーにより再生できないメディアファイルが再生されるウインドウを消去するようにレイアウトを変更することで、画面から非表示の領域をなくして美観を確保することができる。
【０００９】
本発明の別の態様は、所定の記憶装置に記憶されている複数のメディアファイルを再生して表示画面に画像として表示する際のメディアファイルの再生時間に関する情報が定義された再生プログラムにしたがって、複数のメディアファイルを表示画面に表示させる再生指示部と、再生対象のメディアファイルが再生不可となるエラーを検知するエラー検知部と、エラー検知部によってエラーが検知されたメディアファイルが再生される予定であった再生時間を、同一のウインドウ内で再生される他のメディアファイルの再生時間に分配するように再生プログラムを修正するプログラム修正部と、を備える表示制御装置である。
【００１０】
この態様によると、エラーにより再生できないメディアファイルの再生時間を、他の正常なメディアファイルの再生時間に分配することによって、画面から非表示となる時間をなくして美観を確保することができる。
【００１１】
なお、以上の構成要素の任意の組合せ、本発明の表現を方法、装置、システム、記録媒体、コンピュータプログラムなどの間で変換したものもまた、本発明の態様として有効である。
【発明の効果】
【００１２】
本発明によれば、電子看板等のディスプレイにおいて、再生すべきメディアファイルに不具合が発生した場合でも、映像が表示されなくなる領域を画面から消して美観が損なわれないようにすることができる。
【図面の簡単な説明】
【００１３】
【図１】本発明の一実施形態に係る表示制御装置の構成を示す図である。
【図２】レイアウトの一例を説明する図である。
【図３】再生プログラムの一例を説明する図である。
【図４】エラー発生時にレイアウト修正部により実行されるレイアウト変更を説明するフローチャートである。
【図５】図４のＳ１２でウインドウの拡大が選択されたときの画面変化を説明する図である。
【図６】レイアウトの変更を一時的に行うときの、再生プログラムとレイアウトの変更との関連を説明する図である。
【図７】エラー発生時にプログラム修正部により実行されるプログラム変更を説明するフローチャートである。
【図８】エラーの発生したメディアファイルの再生時間を正常なメディアファイルに分配する手法の一例を説明する図である。
【図９】エラーの発生したメディアファイルの再生時間を正常なメディアファイルに分配する手法の一例を説明する図である。
【図１０】エラーの発生したメディアファイルの再生時間を正常なメディアファイルに分配する手法の一例を説明する図である。
【発明を実施するための形態】
【００１４】
図１は、本発明の一実施形態に係る電子看板の表示制御装置１００の構成を示す図である。この構成は、ハードウエア的には、任意のコンピュータのＣＰＵ、メモリ、その他のＬＳＩで実現でき、ソフトウエア的にはメモリにロードされたプログラムなどによって実現されるが、ここではそれらの連携によって実現される機能ブロックを描いている。したがって、これらの機能ブロックがハードウエアのみ、ソフトウエアのみ、またはそれらの組合せによっていろいろな形で実現できることは、当業者には理解されるところである。
【００１５】
表示制御装置１００は、広告用に準備された各種のメディアファイルを合成し、合成した映像信号、音声信号を電子看板２００で再生させる。メディアファイルには、例えば動画ファイル、静止画ファイル、音声ファイル、画面内で所定の方向にスクロール表示するためのテロップファイル等が含まれる。
【００１６】
なお、表示制御装置１００と電子看板２００は別体として構成されてもよいし、単一の筐体内に一体的に構成されてもよい。表示制御装置１００と電子看板２００の間の通信経路に、ＬＡＮ（Local Area Network）またはインターネット等のネットワークが含まれてもよい。また、経路の一部に無線通信が含まれてもよい。
【００１７】
表示制御装置１００で再生されるメディアファイルは、記憶装置１０２に格納される。記憶装置１０２は、例えばハードディスク、ＤＶＤ（Digital Versatile Disc）等の光学ディスク、ＳＤカードなどの不揮発性メモリなどが含まれるが、これら以外であってもよい。また、記憶装置１０２には、各種メディアファイルの再生順序、再生時間、画面内でのレイアウト等を定義するためのスクリプトファイルも格納される。
【００１８】
表示制御装置１００の接続機器制御部１０４は、表示制御装置１００に記憶装置１０２が接続されるとその接続機器を認識し、制御部１５０に通知する。
【００１９】
制御部１５０は、スクリプト取得部１５２、再生指示部１５６、エラー検知部１５８、レイアウト修正部１６２およびプログラム修正部１６４を含む。
【００２０】
制御部１５０は、接続機器制御部１０４からの通知に応じて記憶装置１０２内のスクリプトファイルを取得する。スクリプトファイルには、プログラム情報およびレイアウトが少なくとも含まれる。
【００２１】
プログラム情報は、電子看板２００で再生されるメディアファイルのファイル名、各メディアファイルの再生開始時刻、再生時間、再生順序等の情報（これらをまとめて、以下では「再生プログラム」と呼ぶ）が記録されている。再生プログラムは一つであってもよいし、複数であってもよい。
【００２２】
レイアウトには、再生プログラム毎に、各メディアファイルの画面内での表示位置に関する情報が含まれる。一つの再生プログラムに対して一つのレイアウトが関連づけられてもよいし、複数のレイアウトが関連づけられてもよい。また、後述するように、再生プログラムに関連づけられていないレイアウトが準備されていることが好ましい。スクリプト取得部１５２は、これらの情報を再生指示部１５６に送る。
【００２３】
再生指示部１５６は、再生プログラムで指定されているメディアファイルを記憶装置１０２から再生する。メディアファイルが動画ファイルであれば、デマルチプレクサ１０６によって映像データおよび音声データが動画ファイルから取り出され、それぞれ音声デコーダ１０８またはビデオデコーダ１１２に送られる。メディアファイルが静止画ファイルまたはテロップファイルであれば、ファイルが画像合成部１１４に送られる。メディアファイルが音声ファイルであれば、ファイルが音声出力部１１０に送られる。
【００２４】
音声デコーダ１０８は、取り出された音声データを復号した音声信号を音声出力部１１０に送る。音声出力部１１０は、送られた音声信号を外部へ出力し、電子看板２００のスピーカ１１８で音声を発音させる。ビデオデコーダ１１２は、取り出された映像データを復号して画像合成部１１４に送る。
【００２５】
画像合成部１１４は、再生プログラムにおいて、複数の動画ファイル、静止画ファイルまたはテロップファイルを同時に再生したり、またはこれらを画面上で組み合わせて再生することが定められている場合、レイアウトにしたがって動画ファイル、静止画ファイルまたはテロップファイルのスケーリングおよび合成等の処理を行って映像信号を生成し、生成した映像信号を映像出力部１１６に送る。映像出力部１１６は、送られた映像信号を外部へ出力し、電子看板２００のディスプレイ１２０に映像を表示させる。なお、上記のような画像の合成技術は周知であるので、詳細な説明を省略する。
【００２６】
制御部１５０のエラー検知部１５８は、再生対象のメディアファイルに関するエラーを検知する。検知対象のエラーには、再生プログラムで指定されているメディアファイルが記憶装置１０２内に存在しない、メディアファイルが破損している、メディアファイルの種類が音声出力部１１０または映像出力部１１６に対応していないなど、電子看板２００において映像を再生できないという問題を発生させるものが含まれる。
【００２７】
レイアウト修正部１６２は、エラー検知部１５８によってエラーが検知されたときに、レイアウトを変更することで画像が表示されない問題を解決する。レイアウト修正部１６２の詳細な動作については、図４を参照して後述する。
【００２８】
プログラム修正部１６４は、エラー検知部１５８によってエラーが検知されたときに、再生プログラムを変更することで画像が表示されない問題を解決する。プログラム修正部１６４の動作については、図７を参照して後述する。
【００２９】
再生指示部１５６は、レイアウト修正部１６２によって修正されたレイアウト、またはプログラム修正部１６４によって修正された再生プログラムにしたがって、メディアファイルを各部に送る。
【００３０】
図２は、レイアウト１０の一例を説明する図である。この例では、ディスプレイの表示領域１２の中に、ウインドウ１〜３の３つのウインドウが定義されている。図３でも後述するように、ウインドウ１には動画が、ウインドウ２には静止画が、ウインドウ３にはテロップが再生される。ウインドウの数、各ウインドウの始点位置およびサイズは、ディスプレイの表示領域１２内に収まる範囲であれば任意に定義することができる。ウインドウの始点位置は、例えば表示領域１２の左上隅を原点とした座標で、サイズは画素数で定義されてもよい。後述するように、ウインドウの数および配置が互いに異なる複数のレイアウトが予め記憶装置に格納されていることが好ましい。
【００３１】
図３は、再生プログラム２０の一例を説明する図である。再生プログラムには、関連づけられたレイアウト１０に定義されているウインドウ毎に、再生すべきファイル名、再生開始時刻、再生時間、再生順序が定義されている。図３のプログラム１とプログラム２のように、複数の再生プログラムを連続して実行するように構成してもよいし、一つまたは複数の再生プログラムを繰り返し実行するように構成してもよい。
【００３２】
図３の例では、ウインドウ１において、「動画１」で指定される動画ファイルを１２秒間再生し、ウインドウ２において、「静止画１」〜「静止画４」で指定される静止画ファイルをそれぞれ３秒間ずつ連続して再生し、ウインドウ３において、「テロップ１」、「テロップ２」で指定されるテロップファイルをそれぞれ６秒間ずつ再生することが定義されている。
【００３３】
以下、図２のレイアウト１０と図３の再生プログラム２０にしたがって電子看板２００に映像を再生するとき、ウインドウ２に表示すべき「静止画２」のファイルが何らかのエラーにより再生不能となった場合を例として、表示制御装置１００の作用を説明する。
【００３４】
図４は、エラー発生時にレイアウト修正部１６２により実行されるレイアウト変更を説明するフローチャートである。エラー検知部１５８によってメディアファイルのエラーが検知されると（Ｓ１０）、レイアウト修正部１６２は、レイアウト修正の方法として、残りのウインドウの拡大表示、または他のレイアウトへの切り換えのいずれかの修正手法を選択する。
【００３５】
Ｓ１２でウインドウの拡大表示が選択された場合、レイアウト修正部１６２は、残りのウインドウで再生すべきメディアファイルが正常であることを確認し（Ｓ１４）、残りのウインドウの中で拡大することが可能であるものを選択する（Ｓ１６）。この選択は、拡大したときにエラーとなったウインドウを除く他のウインドウと重ならないか、拡大するのが不適切なメディアファイルでないか等の予め定められた基準に基づき行われる。図２に示したようなレイアウトであれば、ウインドウ３はテロップファイルを再生する領域なので、拡大するのは適切でない。ウインドウ１は、動画ファイルを再生する領域であり、またウインドウ３に重ならずにある程度拡大することが可能である。したがって、レイアウト修正部１６２はウインドウ３を選択する。
【００３６】
レイアウト修正部１６２は、エラーとなったウインドウの定義をレイアウトから削除する。続いて、レイアウト内の各ウインドウの始点位置とサイズとを参照して、Ｓ１６で選択されたウインドウを、残りのウインドウと重ならないような範囲で、エラーとなったウインドウが占めていた領域をカバーするように拡大し、このウインドウの始点位置とサイズとを書き換える（Ｓ１８）。書き換えられたレイアウトは、再生指示部１５６に送られる。
【００３７】
Ｓ１２で他のレイアウトへの切り換えが選択された場合、レイアウト修正部１６２は、残りのウインドウで再生すべきメディアファイルが正常であることを確認し（Ｓ２０）、予め準備されている予備のレイアウトの中から、残りのウインドウの配置と類似しているレイアウトを選択する（Ｓ２２）。類似のレイアウトは、例えば、ウインドウの数が同数であるか、各ウインドウの縦横比が近似しているか等に基づき選択される。レイアウト修正部１６２は、選択したレイアウトを現在のレイアウトの代わりに使用するように再生指示部１５６に送信する（Ｓ２４）。
【００３８】
なお、Ｓ１２の修正手法の選択は、フラグ処理などによってユーザにより予め設定されていてもよいし、レイアウト修正部１６２が現在のレイアウトの内容に基づき選択してもよい。後者の場合、例えば、レイアウト内のウインドウ数が所定のしきい値よりも多い場合は、拡大表示が困難と考えられるので、他のレイアウトへの切り換えを選択するなどの方法が考えられる。
【００３９】
または、レイアウト修正部１６２は、いずれか一方の修正手法が実行できないことを確認した後に、もう一方の修正方法を試行するようにしてもよい。いずれの修正方法も実行できなかった場合、再生指示部１５６は、エラーの発生したウインドウを非表示にして背景と同色にしたり、予め準備されている静止画をそのウインドウに表示するようにしてもよい。
【００４０】
図５は、図４のＳ１２ウインドウの拡大が選択されたときの画面変化を説明する図である。レイアウト１０において、ウインドウ２で再生すべきファイルがエラーとなった場合、レイアウト修正部１６２は、残りの正常なウインドウ１およびウインドウ３の中から拡大すべきウインドウを選択する。ウインドウ３はテロップファイルの再生領域なので、レイアウト修正部１６２はウインドウ１を選択し、ウインドウ３と重ならない範囲で、レイアウト内のウインドウ１の始点位置およびサイズを書き換える。この結果、レイアウト３０で示すようにウインドウ１が拡大して表示される。
【００４１】
上述のようなレイアウトの変更は、エラー検知されたメディアファイルが関連づけられている間だけ一時的に行うようにしてもよいし、関連する再生プログラムの全再生時間にわたり行われてもよい。図６は、レイアウトの変更を一時的に行う場合の、図３に示した再生プログラム２０とレイアウトの変更４２との関連を示している。図中にＸで示すように「静止画２」ファイルにエラーが検知された場合、再生指示部１５６は、このファイルを再生すべき３秒間だけ、レイアウト１０からレイアウト３０に切り換え、その後はレイアウト１０に戻すようにしてもよい。あるいは、再生指示部１５６は、再生プログラム１の全再生時間である１２秒間の間、レイアウト３０を適用するようにしてもよい。
【００４２】
図７は、エラー発生時にプログラム修正部１６４により実行されるプログラム変更を説明するフローチャートである。エラー検知部１５８によってメディアファイルのエラーが検知されると（Ｓ３０）、プログラム修正部１６４は、そのメディアファイルの再生時間を再生プログラムから取得する（Ｓ３２）。さらに、プログラム修正部１６４は、そのファイルが再生されるべきウインドウに関連づけられている他のメディアファイルを確認する（Ｓ３４）。プログラム修正部１６４は、取得した再生時間を他のメディアファイルに分配し、これに合わせて再生プログラムを書き換える（Ｓ３６）。プログラム修正部１６４は、書き換えた再生プログラムを現在の再生プログラムの代わりに使用するように再生指示部１５６に送信する。
【００４３】
図８ないし図１０は、エラーの発生したメディアファイルの再生時間を他の正常なメディアファイルに分配する手法の例を説明する図である。いずれの例においても、図３に示した再生プログラム２０において、ウインドウ２で再生される「静止画２」ファイルでエラーが検知されたとする。
【００４４】
図８は、「静止画２」ファイルの再生時間を、後続して再生される予定だった「静止画３」および「静止画４」のファイルの再生時間に分配した例２２を示す。この結果、「静止画３」および「静止画４」のファイルの再生時間がそれぞれ４．５秒に拡大している。なお、「静止画４」のように再生プログラム内の最後のファイルでエラーが発生した場合は、次の図９のように分配することが好ましい。
【００４５】
図９は、「静止画２」ファイルの再生時間を、残りの全てのファイルに均等に分配した例２４を示す。この結果、「静止画１」、「静止画３」および「静止画４」のファイルの再生時間がそれぞれ４秒に拡大している。残りのファイルが一つしかなければ、再生プログラム１全体の再生時間と同じ長さに拡大される。
【００４６】
図１０は、「静止画２」ファイルの再生時間を、他のウインドウで再生されるファイルの再生時間を考慮して分配した例２６を示す。図３の再生プログラム２０から分かるように、「静止画１」と「静止画２」ファイルは、いずれもウインドウ３における「テロップ１」ファイルと対応づけて再生時間が定義されているので、プログラム修正部１６４は、「静止画２」ファイルの再生時間を、「テロップ１」ファイルと対応づけられている「静止画１」ファイルの再生時間に分配する。この結果、「静止画１」ファイルの再生時間が６秒に拡大し、「静止画３」および「静止画４」の再生時間は変化しない。
【００４７】
上記の説明から分かるように、プログラム修正部１６４による再生時間の分配は、一つのウインドウ内で複数のメディアファイルの再生が定義されている場合のみ行うことができる。そこで、プログラム修正部１６４による再生時間の分配と、レイアウト修正部１６２によるレイアウトの変更が連続して試行されることが好ましい。すなわち、エラー検知部１５８によってメディアファイルのエラーが検知されると、最初にプログラム修正部１６４が上述した再生時間の分配が可能であるか否かを判定し、不可能である場合は、続いてレイアウト修正部１６２が上述したレイアウトの変更を試みるように制御部１５０を構成してもよい。プログラム修正部１６４とレイアウト修正部１６２の試行が逆順であってもよい。
【００４８】
以上説明したように、本実施形態によれば、電子看板等のディスプレイにおいて、再生すべきメディアファイルに不具合が発生した場合でも、再生時に映像が表示されなくなる領域を消して美観が損なわれないようにすることができる。
【００４９】
以上、本発明を実施例をもとに説明した。この実施例は例示であり、それらの各構成要素や各処理プロセスの組合せにいろいろな変形例が可能なこと、またそうした変形例も本発明の範囲にあることは当業者に理解されるところである。
【００５０】
本発明の表示制御装置は、広告用に特別に設計された電子看板のみならず、市販のデジタルテレビやディスプレイを使用して広告映像を表示させる用途にも適用することができる。この場合、本発明に係る表示制御装置をテレビまたはディスプレイに接続して使用してもよい。または、上述の制御部と同様の機能をプログラムとして構成し、このプログラムをコンピュータにロードすることによって本発明の機能を提供してもよい。
【符号の説明】
【００５１】
１００  表示制御装置、  １０２  記憶装置、  １０４  接続機器制御部、  １０６  デマルチプレクサ、  １０８  音声デコーダ、  １１０  音声出力部、  １１２  ビデオデコーダ、  １１４  画像合成部、  １１６  映像出力部、  １１８  スピーカ、  １２０  ディスプレイ、  １５０  制御部、  １５２  スクリプト取得部、  １５６  再生指示部、  １５８  エラー検知部、  １６２  レイアウト修正部、  １６４  プログラム修正部、  ２００  電子看板。
【図１】
2012182675.tif 000003
【図２】
2012182675.tif 000004
【図３】
2012182675.tif 000005
【図４】
2012182675.tif 000006
【図５】
2012182675.tif 000007
【図６】
2012182675.tif 000008
【図７】
2012182675.tif 000009
【図８】
2012182675.tif 000010
【図９】
2012182675.tif 000011
【図１０】
2012182675.tif 000012